(57)【要約】【課題】出水口の外部から異物または雑菌の侵入をより確実に防止することが可能な出水口アダプタおよびそれを備えた浄水器を提供する。【解決手段】出水口アダプタ３０は、筒状部４０と摺動部５０とバネ３３とローラ５５ａとを備えている。筒状部４０は、出水口１３を有するノズルに取り付けられる。摺動部５０は、筒状部４０に収容され、且つ、ノズルを通って筒状部４０を流れる水の流量に応じて筒状部４０を摺動する。バネ３３は、出水口１３を閉塞させるように摺動部５０を付勢する。筒状部４０の壁４１の内側には、凸部４４ａが配置されている。ローラ５５ａは、摺動部５０と凸部４４ａとの間に配置され、凸部４４ａに沿って自在に回転する。【選択図】図７
2013147787.tif 000002
【特許請求の範囲】
【請求項１】
出水口を有するノズルに取り付けられる筒状部と、
前記筒状部に収容され、前記ノズルを通って前記筒状部を流れる水の流量に応じて前記筒状部を摺動する摺動部と、
前記ノズルの前記出水口を閉塞させるように前記摺動部を付勢するバネとを備え、
前記筒状部の壁の内側には、前記摺動部の移動を案内する案内部が配置され、
前記摺動部と前記案内部との間に配置され、前記案内部に沿って自在に回転する回転部材をさらに備えた、出水口アダプタ。
【請求項２】
前記回転部材は、前記摺動部に取り付けられている、
請求項１に記載の出水口アダプタ。
【請求項３】
前記摺動部の外周表面には、凸部または凹部が形成され、
前記回転部材は、前記凸部または前記凹部に嵌め合わされている、
請求項１に記載の出水口アダプタ。
【請求項４】
前記摺動部の表面には、前記摺動部の移動を示すためのマークが付けられ、
前記筒状部の壁の外側には、前記筒状部に対する前記摺動部の位置を示す目盛りが付されている、請求項１から請求項３までのいずれか１項に記載の出水口アダプタ。
【請求項５】
前記筒状部の壁において、少なくとも前記目盛りが付された部分は、実質的に透明である、請求項４に記載の出水口アダプタ。
【請求項６】
前記案内部と前記回転部材との間には、隙間が空いている、請求項１から請求項５までのいずれか１項に記載の出水口アダプタ。
【請求項７】
出水口を有するノズルと、請求項１から請求項６までのいずれか１項に記載の出水口アダプタとを備えた、浄水器。
【請求項８】
前記出水口アダプタの前記筒状部は、前記ノズルに着脱自在に取り付けられている、
請求項７に記載の浄水器。
【発明の詳細な説明】
【技術分野】
【０００１】
本発明は、出水口アダプタおよびそれを備えた浄水器に関する。
【背景技術】
【０００２】
例えば特開平６−１５４７３４号公報（以下、特許文献１という）に記載されているように、出水口内部に設けられた弁によって出水口を開閉することにより、出水口の外部から雑菌が侵入することを防止する出水口の構成を備えた浄水器が、従来から知られている。特許文献１に係る浄水器の弁は、バネの付勢力を利用することによって出水口を閉塞している。バネの付勢力に水圧が打ち勝つときに、弁が出水口を開放させる。
【０００３】
また、バネの付勢力を利用することにより、浄水の流量を表示する水栓体が、特開平１０−７７６６７号公報（以下、特許文献２という）に記載されている。
【０００４】
特許文献２に記載の浄水器においては、当該浄水器を接続した水栓体の浄水の流路内に、流量に応じて動く部材が摺動自在に配置されている。この摺動部材の位置により、浄水の流量が表示される。浄水器の使用者は、表示された浄水の流量に基づき、ろ過カートリッジの交換時期を判断することができる。
【先行技術文献】
【特許文献】
【０００５】
【特許文献１】特開平６−１５４７３４号公報
【特許文献２】特開平１０−７７６６７号公報
【発明の概要】
【発明が解決しようとする課題】
【０００６】
しかしながら、特許文献１に記載の出水口の弁の構成と、特許文献２に記載の浄水の流量の表示の構成とは、それぞれ弁の作動を案内する手段と摺動部材の作動を案内する手段とを備えていない。つまり、特許文献１に記載の出水口の弁の構成は、弁をより円滑に作動させることが考慮されたものではない。特許文献２に記載の浄水の流量の表示の構成は、摺動部材をより円滑に作動させることが考慮されたものではない。
【０００７】
より円滑に弁を作動させることができない場合には、バネの付勢力を利用しているとしても、出水口の外部から異物等の侵入を確実に防止することが困難である。さらに、摺動部材をより円滑に作動させることができない場合には、実際に出水される量を正確に表示することが困難である。
【０００８】
そこで、本発明の目的は、出水口の外部から異物または雑菌の侵入をより確実に防止することが可能な出水口アダプタおよびそれを備えた浄水器を提供することである。
【課題を解決するための手段】
【０００９】
本発明に従った出水口アダプタは、筒状部と、摺動部と、バネと、回転部材とを備えている。筒状部は、出水口を有するノズルに取り付けられる。摺動部は、筒状部に収容されている。摺動部は、ノズルを通って筒状部を流れる水の流量に応じて、筒状部を摺動する。バネは、ノズルの出水口を閉塞させるように摺動部を付勢する。
【００１０】
筒状部の壁の内側には、摺動部の移動を案内する案内部が配置されている。回転部材は、摺動部と案内部との間に配置されている。回転部材は、案内部に沿って自在に回転する。
【００１１】
本発明によれば、摺動部の移動を案内する案内部が、筒状部の壁の内側に配置されている。回転部材は、摺動部と案内部との間に配置され、且つ、案内部に沿って自在に回転する。このように、本発明によれば、ノズルの出水口を閉塞させるようにバネが摺動部を付勢するとともに、摺動部の摺動を案内する案内部が筒状部に配置されているため、筒状部の内部を摺動部が円滑に移動することができる。そのため、出水口の外部から異物等の侵入を確実に防止することができる。また、当該出水口アダプタにおいて回転部材が用いられていることにより、出水口アダプタが水平方向に延びるように使用される場合であっても、筒状部に対して摺動部をぐらつかせずに円滑に摺動させることができる。
【００１２】
筒状部に対して摺動部を円滑に移動させることができるため、出水口から実際に出水される水の量を正確に表示することができる。
【００１３】
このようにすることにより、出水口の外部から異物または雑菌の侵入をより確実に防止することが可能な出水口アダプタを提供することができる。
【００１４】
本発明に従った出水口アダプタにおいて、好ましくは、回転部材は、摺動部に取り付けられている。この構成によれば、摺動部と案内部との間に回転部材を容易に配置させることができる。
【００１５】
本発明に従った出水口アダプタにおいて、摺動部の外周表面には、凸部または凹部が形成されていることが好ましい。この構成によれば、摺動部の凸部または凹部と案内部との間に回転部材を容易に配置させることができる。
【００１６】
本発明に従った出水口アダプタにおいて、摺動部の表面には、摺動部の移動を示すためのマークが付けられていることが好ましい。筒状部の壁の外側には、筒状部に対する摺動部の位置を示す目盛りが付されていることが好ましい。
【００１７】
この構成によれば、マークと目盛りとによって、筒状部に対する摺動部の移動に応じて、出水口から実際に出水される水の量を正確に表示することができる。
【００１８】
本発明に従った出水口アダプタの筒状部の壁において、好ましくは、少なくとも目盛りが付された部分は、実質的に透明である。
【００１９】
この構成によれば、使用者は、目盛りが付された部分を通して筒状部の内部に配置された摺動部を見ることができる。筒状部に対する摺動部の位置は、摺動部自体によって表示される。そのため、筒状部に対する摺動部の位置を示すための他の構成を備える必要が無いことにより、当該出水口アダプタの構成が簡素化される。
【００２０】
本発明に従った出水口アダプタにおいて、案内部と回転部材との間には、隙間が空いていることが好ましい。
【００２１】
この構成によれば、ノズルを流通する水の一部が、案内部と回転部材との間を流通することができる。そのため、案内部と回転部材との間の水が潤滑剤として作用することにより、回転部材をより円滑に回転させることができる。すなわち、筒状部に対して摺動部をより円滑に作動させることができる。これにより、当該出水口アダプタは、ノズルの出水口を確実に閉塞することができ、且つ、実際に出水される量をより正確に表示することができる。
【００２２】
本発明に従った浄水器は、出水口を有するノズルと、上記のいずれかの出水口アダプタとを備えた浄水器であることが好ましい。本発明に従った出水口アダプタを備えた浄水器によれば、出水口の外部から異物または雑菌の侵入を防止することが可能であり、且つ、実際に出水される量を正確に表示することが可能である。
【００２３】
本発明に従った浄水器において、好ましくは、出水口アダプタの筒状部は、ノズルに着脱自在に取り付けられている。
【００２４】
この構成によれば、筒状部をノズルから取り外すことにより、当該出水口アダプタをノズルから取り外すことができる。そのため、当該出水口アダプタのメンテナンスおよび取り換えが可能である。
【発明の効果】
【００２５】
以上のように、本発明によれば、出水口の外部から異物または雑菌の侵入をより確実に防止することが可能な出水口アダプタおよびそれを備えた浄水器を提供することができる。
【図面の簡単な説明】
【００２６】
【図１】本発明に係る出水口アダプタを備えた浄水器の全体を示す概略斜視図である。
【図２】本発明に係る出水口アダプタの全体を示す拡大斜視図である。
【図３】本発明に係る出水口アダプタの筒状部の全体を示す拡大斜視図である。
【図４】本発明に係る出水口アダプタの筒状部の拡大平面図である。
【図５】図４のＶ−Ｖ線の拡大断面図である。
【図６】本発明に係る出水口アダプタの摺動部の全体を示す拡大斜視図である。
【図７】本発明に係る浄水器の出水口が形成された出水部の一部と、出水部に取り付けられた出水口アダプタとを示す拡大部分断面図であって、摺動部が出水口を閉塞した状態を示す図である。
【図８】本発明に係る浄水器の出水部の一部と、出水部に取り付けられた出水口アダプタとを示す拡大部分斜視図であって、摺動部が出水部の出水口を閉塞した状態を示す図である。
【図９】本発明に係る浄水器の出水口が形成された出水部の一部と、出水部に取り付けられた出水口アダプタとを示す拡大部分断面図であって、摺動部が出水口を開放した状態を示す図である。
【図１０】本発明に係る浄水器の出水部の一部と、出水部に取り付けられた出水口アダプタとを示す拡大部分斜視図であって、摺動部が出水部の出水口を開放した状態を示す図である。
【発明を実施するための形態】
【００２７】
以下、本発明の実施の形態を図面に基づいて説明する。
【００２８】
図１に示すように、浄水器１００は、ノズル１０とケース２０と出水口アダプタ３０とを備えている。ノズル１０は、ケース２０に取り付けられている。ノズル１０の先端部には、出水部１１が配置されている。出水部１１には、後述する出水口１３（図７参照）が形成されている。
【００２９】
出水口アダプタ３０は、出水部１１に取り付けられることにより、ノズル１０に取り付けられる。後述するように、ノズル１０に対する出水口アダプタ３０の取り付けは、着脱自在である。ノズル１０の出水部１１からは、浄水器１００によって浄化された水が、浄水として供給される。浄水器１００は、外部から供給された原水を濾過および浄化することにより、浄水を生成する。
【００３０】
浄水器１００に供給される原水は、例えば水道水である。浄水器１００には、水道の蛇口から吐出する水が供給される。ただし、浄水器１００に供給される原水は、浄化対象の水として、井戸水、または、河川水等の他の水であってもよい。
【００３１】
浄水器１００は、図示しない中空糸膜等の濾材を備えている。浄水器１００の外部から供給された原水は、ケース２０に収容された濾材を含む部分において濾過および浄化される。
【００３２】
浄水は、ノズル１０の内部を通って、出水部１１および出水口アダプタ３０を介して、浄水器１００の外部に供給される。出水部１１から出水口アダプタ３０が取り外されている場合は、出水部１１の出水口１３（図７参照）から浄水が排出される。
【００３３】
図２に示すように、出水口アダプタ３０は、筒状部４０と摺動部５０とを備えている。摺動部５０は、筒状部４０に収容されている。摺動部５０は、後述するように、ノズル１０（図１参照）を通って筒状部４０を流れる水の流量に応じて、筒状部４０を摺動する。
【００３４】
筒状部４０は、略円筒形状を有している。筒状部４０の周壁を形成する壁４１には、開口部として窓４２が形成されている。筒状部４０において窓４２の位置は、出水口アダプタ３０がノズル１０に取り付けられたときに、浄水器１００の使用者が窓４２を視認することができるような位置である。窓４２には、実質的に透明なカバー部材４２ａ（図７参照）が取り付けられている。使用者は、窓４２を通して出水口アダプタ３０の内部を見ることができる。
【００３５】
なお、以下では、ノズル１０に対して取り付けられる筒状部４０の部分を、筒状部４０の上部として説明する。ただし、筒状部４０は、鉛直上下方向に延びるようにノズル１０に対して取り付けられることに限定されず、ノズル１０形状および浄水器１００の形状に合わせて、他の方向に延びるように、ノズル１０に対して取り付けられていてもよい。他の方向とは、例えば略水平方向、または、略水平方向から傾斜した方向であって鉛直上方から鉛直下方を向く方向である。
【００３６】
筒状部４０の壁４１の上部の内側には、ネジ４３が形成されている。後述するように、筒状部４０のネジ４３が出水部１１のネジ１２（図７参照）に螺合することにより、筒状部４０は出水部１１に取り付けられる。
【００３７】
図３と図４とを参照するように、筒状部４０の下端部には、アーム４６ａ，４６ｂ，４６ｃ，４６ｄが、それぞれ壁４１の内周面から半径方向の中心に向かって延びている。言い換えると、アーム４６ａ，４６ｂ，４６ｃ，４６ｄは、筒状部４０の半径方向の中心から、それぞれ半径方向の外方に向かって放射状に延びている。各アーム４６ａ，４６ｂ，４６ｃ，４６ｄは、壁４１の円周方向に沿って互いに等間隔に配置されている。
【００３８】
筒状部４０の半径方向の略中心には、ホルダ４５が配置されている。ホルダ４５は、略円筒形状を有している。ホルダ４５の上壁には、開口４５ａが形成されている。図４と図５とを参照するように、ホルダ４５は、アーム４６ａ，４６ｂ，４６ｃ，４６ｄに支持され、且つ、筒状部４０の下端部から上方に向かって延びている。
【００３９】
壁４１の内周面には、案内部の一例としての凸部４４ａと凸部４４ｂと凸部４４ｃとが形成されている。図４に示すように、各凸部４４ａ，４４ｂ，４４ｃの断面は、略三角形状を有している。図３と図５とを参照するように、凸部４４ａ，４４ｂ，４４ｃは、壁４１が延びる方向と略平行な方向に延びている。各凸部４４ａ，４４ｂ，４４ｃは、筒状部４０の上下方向に沿って、ネジ４３の下端から筒状部４０の下端まで延びている。
【００４０】
図３に示すように、壁４１には、窓４２が形成されている。窓４２が形成された位置は、筒状部４０の正面である。窓４２は、壁４１の外側と内側とを連通する開口である。図５に示すように、窓４２は、ネジ４３とホルダ４５との間に配置されている。窓４２の上端は、各凸部４４ａ（図３参照），４４ｂ，４４ｃの上端よりも下方に配置されている。
【００４１】
図４に示すように、各凸部４４ａ，４４ｂ，４４ｃは、壁４１の円周方向に沿って互いに等間隔に配置されている。凸部４４ａは、壁４１の内周面において筒状部４０の背面側に配置されている（図２と図４とを参照）。平面視において、凸部４４ｂは、アーム４６ｂと重なっており、凸部４４ｃは、アーム４６ｃと重なっている。このような配置により、各凸部４４ａ，４４ｂ，４４ｃは、窓４２によって寸断されることなく、ネジ４３の下端から筒状部４０の下端まで延びている。
【００４２】
図６に示すように、摺動部５０は、栓部５１とフランジ部５６と収容部５３と軸部５４とを有している。栓部５１は、出水部１１（図７参照）の出水口１３の形状に合わせた形状として、略円柱形状を有している。また、摺動部５０には、Ｏリング５２が取り付けられている。Ｏリング５２は、栓部５１よりも下方に配置されている。フランジ部５６は、Ｏリング５２よりも下方に配置されている。フランジ部５６は、略円柱形状を有している。
【００４３】
摺動部５０には、ローラ支持部５８が形成されている。ローラ支持部５８は、柱部５７ａ，５７ｂ，５７ｃに支持されることによって、フランジ部５６の半径方向の外側に配置されている。ローラ支持部５８は、フランジ部５６の半径方向の外側において、各柱部５７ａ，５７ｂ，５７ｃからフランジ部５６の円周方向に沿って延びている。
【００４４】
ローラ支持部５８の半径方向の外側の表面には、ダンパ５８ａ，５８ｂ，５８ｃが形成されている。各ダンパ５８ａ，５８ｂ，５８ｃは、ローラ支持部５８から半径方向の外側に向かって隆起した突起である。各ダンパ５８ａ，５８ｂ，５８ｃは、ローラ支持部５８の円周方向に沿って互いに等間隔に配置されている。各ダンパ５８ａ，５８ｂ，５８ｃは、摺動部５０の移動を示すためのマークの一例である。なお、マークの別の例としては、摺動部５０の外周表面に窪みまたは溝等のようなマークに相当するものが形成されていてもよい。また、摺動部５０の外周表面に、摺動部５０の移動を示すためのペイントが施されていてもよい。
【００４５】
各柱部５７ａ，５７ｂ，５７ｃは、フランジ部５６から半径方向の外方に向かって延びる二本の柱状の部分である。各柱部５７ａ，５７ｂ，５７ｃは、フランジ部５６の円周方向に沿って互いに等間隔に配置されている。
【００４６】
各柱部５７ａ，５７ｂ，５７ｃには、回転部材の一例としての各ローラ５５ａ，５５ｂ，５５ｃが配置されている。つまり、柱状の部分同士の間には、回転部材の一例としてのローラが配置されている。各ローラ５５ａ，５５ｂ，５５ｃは、各柱部５７ａ，５７ｂ，５７ｃに支持されている。具体的には、各ローラ５５ａ，５５ｂ，５５ｃの軸の両端部が各柱部５７ａ，５７ｂ，５７ｃに支持されている。各ローラ５５ａ，５５ｂ，５５ｃは、摺動部５０の半径方向に沿ってフランジ部５６とローラ支持部５８との間に配置されている。
【００４７】
各ローラ５５ａ，５５ｂ，５５ｃの形状として、軸方向の中央部に凹部が形成され、その凹部の両側に二つの凸部が形成されている。このような形状により、ローラ５５ａ，５５ｂ，５５ｃに、それぞれ凸部４４ａ（図２参照），４４ｂ，４４ｃが嵌め込まれる。
【００４８】
各ローラ５５ａ，５５ｂ，５５ｃは、ローラ支持部５８に対して回転自在である。各ローラ５５ａ，５５ｂ，５５ｃの周りは、隙間が空いている。つまり、各柱部５７ａ，５７ｂ，５７ｃおよびフランジ部５６と、各ローラ５５ａ，５５ｂ，５５ｃとの間には、それぞれ空間があけられている。
【００４９】
図７に示すように、収容部５３は、バネ３３を収容する。収容部５３は、略円筒形状を有している。収容部５３と軸部５４とは、フランジ部５６の下方に配置されている。軸部５４は、摺動部５０の半径方向の中心部に配置されることにより、収容部５３よりも半径方向の内側に配置されている。軸部５４の上下方向の寸法は、収容部５３の上下方向の寸法よりも大きい。軸部５４の上部は、収容部５３に覆われている。
【００５０】
バネ３３は、例えばコイルバネである。摺動部５０が筒状部４０に収容されている場合に、バネ３３は、ホルダ４５の上壁の上面に配置されている。また、バネ３３は、フランジ部５６よりも下方に配置されるように、収容部５３に配置されている。バネ３３のねじり部分には、軸部５４が貫通している。さらに、軸部５４は、ホルダ４５の開口４５ａからホルダ４５の内部に挿入されている。
【００５１】
摺動部５０が筒状部４０に収容される場合は、収容部５３にバネ３３を収容させたうえで、各ローラ５５ａ，５５ｂ，５５ｃが各凸部４４ａ，４４ｂ，４４ｃに載せられる。摺動部５０が筒状部４０に収容された場合に、各凸部４４ａ，４４ｂ，４４ｃと各ローラ５５ａ，５５ｂ，５５ｃとの間に隙間が空くように、各ローラ５５ａ，５５ｂ，５５ｃが各凸部４４ａ，４４ｂ，４４ｃに嵌め合わされる。摺動部５０は、アーム４６ａ，４６ｂ，４６ｃ，４６ｄが配置された側ではなく、ネジ４３が形成された側から筒状部４０の内部に移される。ローラ５５ａ，５５ｂ，５５ｃ（図６参照）が取り付けられた摺動部５０と、バネ３３とが収容された筒状部４０は、ネジ４３とネジ１２との螺合によって、出水部１１に固定される。このようにして、出水口アダプタ３０がノズル１０（図１参照）の出水部１１に取り付けられる。
【００５２】
筒状部４０のうちのホルダ４５の上壁の上面と、摺動部５０のうちのフランジ部５６の下端とに接触するバネ３３は、摺動部５０を上方に付勢している。摺動部５０が上方に付勢されることにより、栓部５１およびＯリング５２が出水口１３を閉塞する。
【００５３】
図７に示すように、筒状部４０の壁４１に形成された窓４２には、カバー部材４２ａが取り付けられている。カバー部材４２ａには、目盛り４２ｓ（図８参照）が付けられている。つまり、筒状部４０の壁４１の外側には、目盛り４２ｓが付されている。カバー部材４２ａが実質的に透明であるため、使用者は、窓４２を通して筒状部４０および出水口アダプタ３０の内部を見ることができる。
【００５４】
栓部５１およびＯリング５２が出水口１３を閉塞している場合には、摺動部５０のローラ支持部５８が、窓４２の上端に配置されている。図８に示すように、出水口アダプタ３０を正面から見る場合には、一番上の目盛り４２ｓとダンパ５８ａとが重なっている。
【００５５】
各凸部４４ａ，４４ｂ，４４ｃに嵌合した各ローラ５５ａ，５５ｂ，５５ｃは、筒状部４０に対して摺動部５０が上下方向に摺動する場合に、各凸部４４ａ，４４ｂ，４４ｃに沿って自在に回転する。図７に示すように摺動部５０が出水口１３を閉塞する出水口アダプタ３０の状態から、所定の流量以上の浄水が出水口１３まで流れてくる場合には、図９に示すように、浄水の水圧によって摺動部５０が下方に移動する。これにより、出水口１３が開放される。
【００５６】
また、摺動部５０が下方に移動することにより、筒状部４０に対して、ローラ支持部５８のダンパ５８ａの位置が下方に移動する（図８と図１０とを参照）。筒状部４０に対するダンパ５８ａの位置は、出水口１３から筒状部４０の内部に流入する浄水の流量に応じて変化する。筒状部４０の壁４１には、窓４２が形成されている。目盛り４２ｓは、窓４２に取り付けられたカバー部材４２ａに付されている。上記のように、カバー部材４２ａは、実質的に透明である。このように、目盛り４２ｓは、筒状部４０に対する摺動部５０の位置を示すことができる。目盛り４２ｓは、出水口１３から出水口アダプタ３０の内部に流入する浄水の流量を表示するためのものである。
【００５７】
図９の矢印に示すように、出水口１３から出水口アダプタ３０の内部に流入した浄水は、フランジ部５６とローラ支持部５８との間を通って、フランジ部５６よりも下方に流れる。また、上記のように、各柱部５７ａ，５７ｂ，５７ｃおよびフランジ部５６と、各ローラ５５ａ，５５ｂ，５５ｃとの間には、それぞれ空間があけられている（図６参照）。各凸部４４ａ，４４ｂ，４４ｃと各ローラ５５ａ，５５ｂ，５５ｃとの間には、隙間が空いている。そのため、浄水は、フランジ部５６の上方から下方に向かって流れる際に、フランジ部５６とローラ支持部５８との間、各柱部５７ａ，５７ｂ，５７ｃおよびフランジ部５６と、各ローラ５５ａ，５５ｂ，５５ｃとの間、および、各凸部４４ａ，４４ｂ，４４ｃと各ローラ５５ａ，５５ｂ，５５ｃとの間を流れる。
【００５８】
フランジ部５６よりも下方において収容部５３の外側とホルダ４５の外側とを流れた水は、各アーム４６ａ，４６ｂ，４６ｃ，４６ｄ（図４参照）の間を通って出水口アダプタ３０の外部に排出される。筒状部４０に対して下方に移動した摺動部５０は、浄水の供給が停止される場合に、バネ３３の力によって上方に戻る。これにより、栓部５１およびＯリング５２が出水口１３を閉塞する。
【００５９】
以上のように、出水口アダプタ３０は、筒状部４０と、摺動部５０と、バネ３３と、ローラ５５ａ，５５ｂ，５５ｃとを備えている。筒状部４０は、出水口１３を有するノズル１０に取り付けられる。摺動部５０は、筒状部４０に収容されている。摺動部５０は、ノズル１０を通って筒状部４０を流れる水の流量に応じて、筒状部４０を摺動する。バネ３３は、ノズル１０の出水口１３を閉塞させるように摺動部５０を付勢する。
【００６０】
筒状部４０の壁４１の内側には、摺動部５０の移動を案内する凸部４４ａ，４４ｂ，４４ｃが配置されている。各ローラ５５ａ，５５ｂ，５５ｃは、摺動部５０と、各凸部４４ａ，４４ｂ，４４ｃとの間に配置されている。各ローラ５５ａ，５５ｂ，５５ｃは、各凸部４４ａ，４４ｂ，４４ｃに嵌合し且つ各凸部４４ａ，４４ｂ，４４ｃに沿って自在に回転する。
【００６１】
出水口アダプタ３０によれば、摺動部５０の移動を案内する凸部４４ａ，４４ｂ，４４ｃが、筒状部４０の壁４１の内側に配置されている。各凸部４４ａ，４４ｂ，４４ｃには、各ローラ５５ａ，５５ｂ，５５ｃが嵌合する。各ローラ５５ａ，５５ｂ，５５ｃは、摺動部５０と、各凸部４４ａ，４４ｂ，４４ｃとの間に配置され、且つ、各凸部４４ａ，４４ｂ，４４ｃに沿って自在に回転する。このように、出水口１３を閉塞させるようにバネ３３が摺動部５０を付勢するとともに、摺動部５０の摺動を案内する凸部４４ａ，４４ｂ，４４ｃが筒状部４０に配置されているため、筒状部４０の内部を摺動部５０が円滑に移動することができる。そのため、出水口１３の外部から異物等の侵入を確実に防止することができる。また、出水口アダプタ３０においてローラ５５ａ，５５ｂ，５５ｃが用いられていることにより、出水口アダプタ３０が水平方向に延びるように使用される場合であっても、筒状部４０に対して摺動部５０をぐらつかせずに円滑に摺動させることができる。
【００６２】
筒状部４０に対して摺動部５０を円滑に移動させることができるため、出水口１３から実際に出水される水の量を正確に表示することができる。
【００６３】
このようにすることにより、出水口１３の外部から異物または雑菌の侵入を防止することが可能な出水口アダプタ３０を提供することができる。
【００６４】
出水口アダプタ３０において、各ローラ５５ａ，５５ｂ，５５ｃは、摺動部５０に取り付けられている。この構成によれば、摺動部５０と各凸部４４ａ，４４ｂ，４４ｃとの間に各ローラ５５ａ，５５ｂ，５５ｃを容易に配置させることができる。
【００６５】
摺動部５０の表面には、摺動部５０の移動を示すためのダンパ５８ａ，５８ｂ，５８ｃが形成されている。筒状部４０の壁４１の外側には、筒状部４０に対する摺動部５０の位置を示す目盛り４２ｓが付されている。
【００６６】
この構成によれば、ダンパ５８ａ，５８ｂ，５８ｃのうちのいずれかと、目盛り４２ｓとによって、筒状部４０に対する摺動部５０の移動に応じて、出水口１３から実際に出水される水の量を正確に表示することができる。
【００６７】
筒状部４０の壁４１には、窓４２が形成されている。窓４２には、カバー部材４２ａが取り付けられている。筒状部４０に対する摺動部５０の位置を示す目盛り４２ｓは、カバー部材４２ａに付されている。筒状部４０の壁４１において、目盛り４２ｓが付されたカバー部材４２ａは、実質的に透明である。
【００６８】
この構成によれば、使用者は、目盛り４２ｓが付されたカバー部材４２ａを通して筒状部４０の内部に配置された摺動部５０を見ることができる。筒状部４０に対する摺動部５０の位置は、摺動部５０自体によって表示される。そのため、筒状部４０に対する摺動部５０の位置を示すための他の構成を備える必要が無いことにより、出水口アダプタ３０の構成が簡素化される。
【００６９】
出水口アダプタ３０において、凸部４４ａ，４４ｂ，４４ｃとローラ５５ａ，５５ｂ，５５ｃとの間には、隙間が空いている。
【００７０】
この構成によれば、ノズル１０を流通する浄水の一部が、各凸部４４ａ，４４ｂ，４４ｃと各ローラ５５ａ，５５ｂ，５５ｃとの間を流通することができる。そのため、凸部４４ａ，４４ｂ，４４ｃとローラ５５ａ，５５ｂ，５５ｃとの間の浄水が潤滑剤として作用することにより、各ローラ５５ａ，５５ｂ，５５ｃをより円滑に回転させることができる。すなわち、筒状部４０に対して摺動部５０をより円滑に作動させることができる。これにより、出水口アダプタ３０は、ノズル１０の出水口１３を確実に閉塞することができ、且つ、実際に出水される量をより正確に表示することができる。
【００７１】
浄水器１００は、出水口１３を有するノズル１０と、出水口アダプタ３０とを備えている。出水口アダプタ３０を備えた浄水器１００によれば、出水口１３の外部から異物または雑菌の侵入を防止することが可能であり、且つ、実際に出水される量を正確に表示することが可能である。
【００７２】
浄水器１００において、出水口アダプタ３０の筒状部４０は、ネジ４３とネジ１２との螺合によってノズル１０に着脱自在に取り付けられている。
【００７３】
この構成によれば、筒状部４０をノズル１０から取り外すことにより、出水口アダプタ３０をノズル１０から取り外すことができる。そのため、出水口アダプタ３０のメンテナンスおよび取り換えが可能である。出水口アダプタ３０のメンテナンスには、Ｏリング５２、各ローラ５５ａ，５５ｂ，５５ｃ、摺動部５０全体、筒状部４０全体、または、バネ３３等の交換が含まれる。あるいは、出水口アダプタ３０のメンテナンスには、筒状部４０の内部の清掃等が含まれる。
【００７４】
回転部材の例は、摺動部５０に取り付けられたローラ５５ａ，５５ｂ，５５ｃに限定されない。摺動部５０に取り付けられたローラの数は、三に限定されず、一であってもよく、二であってもよく、四以上であってもよい。筒状部４０の壁４１の内側に形成される案内部としての凸部の数は、ローラの数に揃えられている。
【００７５】
案内部の別の例として、筒状部４０の壁４１の内周面に、複数の溝が形成されていてもよい。一方、摺動部５０の表面には、壁４１の内周面に形成された複数の溝に嵌め合わされる回転部材としてのボールが配置されていてもよい。壁４１の内周面に形成された複数の溝に嵌め合わされる回転部材としてのボールは、摺動部５０または筒状部４０の一部ではなく、摺動部５０の外側と筒状部４０の各溝との間に単に配置されるものであってもよい。
【００７６】
案内部のさらに別の例として、筒状部４０の壁４１の内周面に複数の凹部が形成されることにより、回転部材としての複数のローラが各凹部に取り付けられていてもよく、各凹部に回転部材としてのボールが収容されていてもよい。壁４１の内周面に形成された複数の凹部のそれぞれの位置は、筒状部４０の上下方向において異なっていてもよく、筒状部４０の上下方向において同じ位置であってもよい。
【００７７】
一方、壁４１の内周面に配置された回転部材としてのローラまたはボールに対して、摺動部５０の外周表面には、半径方向の内方から外方に向かって突出する複数の凸部が形成されていてもよく、半径方向の外方から内方に向かって窪んだ複数の凹部が形成されていてもよい。摺動部５０の各凸部または各凹部は、筒状部４０の壁４１の内周面に配置された各回転部材の表面に沿った形状を有している。これにより、壁４１の内周面に配置された回転部材としてのローラまたはボールが、摺動部５０の各凸部または各凹部に嵌め合わされる。
【００７８】
このような構成によれば、摺動部５０の凸部または凹部と、案内部としての凹部との間に、ローラまたはボールを容易に配置させることができる。
【００７９】
なお、ノズル１０の出水部１１に対する出水口アダプタ３０の構成は、ネジ４３とネジ１２との螺合に限定されない。出水口アダプタ３０の筒状部４０は、一般的に着脱自在に用いられる構成を備えていればよい。
【００８０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００８１】
１０：ノズル、１３：出水口、３０：出水口アダプタ、３３：バネ、４０：筒状部、４１：壁、４２：窓、４２ａ：カバー部材、４２ｓ：目盛り、４４ａ，４４ｂ，４４ｃ：凸部、５０：摺動部、５５ａ，５５ｂ，５５ｃ：ローラ、１００：浄水器
【図１】
2013147787.tif 000003
【図２】
2013147787.tif 000004
【図３】
2013147787.tif 000005
【図４】
2013147787.tif 000006
【図５】
2013147787.tif 000007
【図６】
2013147787.tif 000008
【図７】
2013147787.tif 000009
【図８】
2013147787.tif 000010
【図９】
2013147787.tif 000011
【図１０】
2013147787.tif 000012